(57)【特許請求の範囲】
【請求項１】
空気吸入口とミスト吐出口とを有する装置本体と、
この装置本体内に設けられ、空気吸入口とミスト吐出口とを連通すると共に送風ファンによって送られた空気が内部を流通する循環通路と、
循環通路内に設けられ、この循環通路内の空気を加熱する熱交換器からなる第１の加熱手段と、
第１の加熱手段よりも循環通路下流側に設けられ、循環通路内にミストを放出するミスト放出口と、
ミスト放出口よりも循環通路下流側に設けられ、ミスト放出口から放出されたミストのうち所定のサイズ以上のミストの通過を制限し且つ所定のサイズ未満のミストの通過を許容するフィルタと、
循環通路内において前記フィルタの下方に設けられ、このフィルタから落下するフィルタ不通過のミストを受けて蒸発させる熱交換器からなる第２の加熱手段と、
を備えている
ことを特徴とする、ミストサウナ装置。
【請求項２】
前記循環通路は、通路の途中で第１通路とこれに隣接する第２通路とに分岐し且つこれらが下流側で合流するように形成されており、
第１通路には前記ミスト放出口と前記フィルタとが設けられると共に第２通路には第２の加熱手段が設けられ、
第１通路に、前記フィルタ不通過のミストを第２の加熱手段へ導く導水手段が設けられた、請求項１記載のミストサウナ装置。
【請求項３】
前記第１通路は上通路であると共に前記第２通路が上通路の下方に隣接する下通路であり、
前記導水手段は、上通路の下側面に設けられて上通路と下通路とを連通する連通路である、請求項２記載のミストサウナ装置。
【請求項４】
前記導水手段は、フィルタ不通過のミストの通水又は止水を可能とさせる開閉手段をさらに備えている、請求項２又は請求項３のいずれかに記載のミストサウナ装置。
【請求項５】
ミストサウナ運転終了時に、
前記ミスト放出口によるミストの供給が停止した時点から所定の時間、第１の加熱手段と第２の加熱手段と送風ファンとを作動させるようにした、
請求項１乃至請求項４のいずれか一項に記載のミストサウナ装置。
【発明の詳細な説明】
【技術分野】
【０００１】
本発明は、ミストサウナ装置に関する。
【背景技術】
【０００２】
従来から、粒径の小さいミストを浴室などのミストサウナ空間に供給して、ミストサウナ浴を行なわせるミストサウナ装置が、例えば特許文献１により知られている。この特許文献１に示されたミストサウナ装置は、空気吸入口とミスト吐出口とを有する装置本体と、この装置本体内に設けられ空気吸入口とミスト吐出口とを連通する循環通路とを備えている。循環通路内には、この通路内にミストを放出するミスト放出口が設けられており、このミスト放出口よりも下流側には、フィルタが設けられている。このフィルタは所定の粒径以上のミストの通過を制限するようになっており、この通過の制限されたフィルタ不通過のミストはフィルタが載置された排水部に溜められる。排水部に溜められたミスト（水）は、この排水部に接続されたドレン管を介して装置外部に出され、排水される。
【先行技術文献】
【特許文献】
【０００３】
【特許文献１】特開２００９−７８０６１号公報
【発明の概要】
【発明が解決しようとする課題】
【０００４】
このように上記特許文献１のミストサウナ装置は、フィルタによりカットされたミストを排水する必要があるため、外部の排水設備等に接続されたドレン管が必要となる。すなわち従来のようなミストサウナ装置は、設置するに当たって装置を取り付けたうえでさらにこのドレン管を配管する必要があり、手間がかかるものとなっていた。
【０００５】
また上記特許文献１のミストサウナ装置は、効率よく水を使用するという観点でも改善の余地があった。つまり発生させたミストのうちフィルタによってカットされた水が、単に排水されているだけであるため、有効に使用されているとは言えない。
【０００６】
本発明は、上記事情に鑑みてなされたものであり、その目的とするところは、フィルタ不通過のミストを排水するためのドレン配管を不要とし、フィルタ不通過のミストをミストサウナ浴に利用するようにしたミストサウナ装置を提供することにある。
【課題を解決するための手段】
【０００７】
上記課題を解決するために本発明のミストサウナ装置は以下の構成とする。
【０００８】
本発明のミストサウナ装置は、空気吸入口１１とミスト吐出口１２とを有する装置本体１と、この装置本体１内に設けられ、空気吸入口１１とミスト吐出口１２とを連通すると共に送風ファン８０によって送られた空気が内部を流通する循環通路２と、循環通路２内に設けられ、この循環通路２内の空気を加熱する熱交換器からなる第１の加熱手段３と、第１の加熱手段３よりも循環通路２下流側に設けられ、循環通路２内にミストを放出するミスト放出口３６と、ミスト放出口３６よりも循環通路２下流側に設けられ、ミスト放出口３６から放出されたミストのうち所定のサイズ以上のミストの通過を制限し且つ所定のサイズ未満のミストの通過を許容するフィルタ７と、循環通路２内において前記フィルタ７の下方に設けられ、このフィルタから落下するフィルタ７不通過のミストを受けて蒸発させる熱交換器からなる第２の加熱手段４とを備えている。
【０００９】
ミスト放出口３６からミストを放出すると、そのミストは、大部分が送風ファン８０によって流通する空気に沿ってフィルタ７に到着する。フィルタ７に到着したミストのうち所定のサイズ未満のミストはフィルタ７を通過する。一方、所定のサイズ以上のミストは、フィルタ７の通過が制限されるが、第２の加熱手段４により加熱されて蒸発する。またミスト放出口３６から放出されたミストのうちフィルタ７に到着しなかったミストが一部に発生したとしても、そのミストは第２の加熱手段４により加熱されて蒸発する。そしてこれらの蒸発したミストは、流通する循環通路２内の空気とともにミスト吐出口１２から吐出される。これにより本発明のミストサウナ装置は、フィルタ７不通過のミストを排水するためのドレン管が不要となる。さらにこのフィルタ７不通過のミストを蒸発し、この水蒸気をミストサウナ空間の加湿に利用するため、フィルタ７不通過のミストを排水せずに使用することができる。
また、第１の加熱手段３及び第２の加熱手段４がいずれも熱交換器であることで本発明のミストサウナ装置は一層簡略な構成のものとなる。
【００１０】
また本発明のミストサウナ装置は、循環通路２が通路の途中で第１通路２７とこれに隣接する第２通路２８とに分岐し且つこれらが下流側で合流するように形成されており、第１通路２７には前記ミスト放出口３６と前記フィルタ７とが設けられると共に第２通路２８には第２の加熱手段４が設けられ、第１通路２７に、前記フィルタ７不通過のミストを第２の加熱手段４へ導く導水手段２９が設けられていることが好ましい。
【００１１】
所定のサイズ以上のミストは、フィルタ７の通過が制限されて第１通路内に留まるが、この第１通路に設けられた導水手段２９により、このフィルタ７不通過のミストは第２の加熱手段４へ導水される。またミスト放出口３６から放出されたミストのうちフィルタ７に到着しなかったミストが一部に発生したとしても、そのミストも導水手段２９により第２の加熱手段４へ導水される。第２の加熱手段４に導かれたこれらの水は、第１の加熱手段３を通過して加熱された温風と第２の加熱手段４とによって蒸発する。この水蒸気は、第２の加熱手段４によって加熱された下通路２２を流通する空気とフィルタ７を通過した微細なミストと共に、ミスト吐出口１２から吐出される。これにより効果的なミストサウナ浴を行なうことができる。
【００１２】
また前記第１通路２７が上通路２１であると共に前記第２通路２８が上通路２１の下方に隣接する下通路２２であり、前記導水手段２９が、上通路２１の下側面２６に設けられて上通路２１と下通路２２とを連通する連通路２４であることが好ましい。
【００１３】
このように構成すれば、フィルタ７不通過のミストの上通路２１から下通路２２への導水を、重力を利用して行なうことができる。
【００１４】
また前記導水手段２９は、フィルタ７不通過のミストの通水又は止水を可能とさせる開閉手段２９０をさらに備えていることが好ましい。
【００１５】
これにより、仮に、第２の加熱手段４が作動していなかったりあるいは運転開始時に所定の温度に達していなかったりした場合に、第２の加熱手段４への通水を止めることができる。これにより、第２の加熱手段４に導かれた水が蒸発されずに第２通路２８内に滞留してしまうのを低減できる。
【００１８】
また、本発明のミストサウナ装置は、ミストサウナ運転終了時に、前記ミスト放出口３６によるミストの供給が停止した時点から所定の時間、第１の加熱手段３と第２の加熱手段４と送風ファン８０とを作動させるようにすることが好ましい。
【００１９】
仮に運転終了時に、第２の加熱手段４や循環通路２内にミスト（水）が残っていたとしても、このように作動させることで、その残水を乾燥させることができる。これによりカビの発生を防止することができる。
【発明の効果】
【００２０】
本発明のミストサウナ装置によれば、フィルタ不通過のミストを排水するためのドレン配管を不要とし、フィルタ不通過のミストをミストサウナ浴に利用することができる。
【図面の簡単な説明】
【００２１】
【図１】本発明の一実施形態の側断面図である。
【図２】同上の配管の接続を説明するための概略図である。
【図３】本実施形態のミストサウナ装置の使用例を説明する斜視図である。
【図４】本実施形態の他の例の配管の接続を説明するための概略図である。
【発明を実施するための形態】
【００２２】
以下、本発明の実施形態について添付図面に基づいて説明する。図１，２には本実施形態のミストサウナ装置を示し、図３には本実施形態のミストサウナ装置が取り付けられた使用例を示す。説明の便宜上、以下においては、使用例における設置状態に基づいて本実施形態のミストサウナ装置の説明を行なう。
【００２３】
本実施形態のミストサウナ装置は、ミストサウナ機能付き浴室暖房乾燥機Ａであり、浴室の天井Ｂに取り付けられる。このミストサウナ機能付き浴室暖房乾燥機Ａは、図３に示されるように、浴室外に設けられた熱源機９０に接続されており、この熱源機９０との間で熱媒を循環する。本実施形態の熱源機９０は、家庭用の水道管に接続されており、その水道管からの水を加熱して作られた湯水を熱媒としている。このミストサウナ機能付き浴室暖房乾燥機Ａは、浴室外に設けられたリモコン操作部９１によって操作されるようになっており、このリモコン操作部９１によって各種機能の運転が操作される。
【００２４】
本実施形態のミストサウナ機能付き浴室暖房乾燥機Ａは、ミストサウナ浴を行なうミストサウナ機能、室内暖房を行なう暖房機能、室内の空気の入れ替えを行なう換気機能、室内や衣類の乾燥を行なう乾燥機能を有している。これらの機能のうちミストサウナ機能は、スプラッシュミスト（５０〜１００μｍ程度の粒径のミスト）を噴霧するスプラッシュミスト浴機能と、スプラッシュミストよりもさらに微細なミストを噴霧するマイクロミスト浴機能とをさらに有している。このミストサウナ機能付き浴室暖房乾燥機Ａは、図１，２に示されるように、微細なミストを浴室内に供給するミスト吐出口１２を有し且つスプラッシュミストを浴室内に供給するスプラッシュミスト発生ノズル５０が取り付けられた装置本体１によって主体が構成されている。
【００２５】
装置本体１はミストサウナ機能付き浴室暖房乾燥機Ａの外郭を形成する。装置本体１は、図１に示されるように、天井Ｂの上方に底面が位置し且つ下方が開口した有底箱形状の装置ケーシング１４と、この装置ケーシング１４の開口を閉塞し上面が天井Ｂ下面に当接するグリル板１５とを備える。このグリル板１５には、室内の空気を装置内に取り込む空気吸入口１１と、装置内から温風などの空気を吹き出す開閉自在な吹出し口１６とが設けられている。本実施形態ではこの吹出し口１６がミスト吐出口１２を構成している。
【００２６】
本実施形態のミストサウナ機能付き浴室暖房乾燥機Ａは、装置本体１内に空気吸入口１１と吹出し口１６とを連通する循環通路２が設けられている。循環通路２は、空気吸入口１１から吹出し口１６に向けて空気が流通するようになっており、この流通する空気の流れは、通路２内に設けられた送風ファン８０によって形成される。この循環通路２は、図１に示されるように、通路２の途中で上通路２１（第１通路２７）と下通路２２（第２通路２８）とに分岐しており、これらは仕切り板２３を介して上下に隣接配置されている。この上通路２１と下通路２２とは下流側で合流しており、合流した循環通路２は吹出し口１６に連通している。
【００２７】
本実施形態のミストサウナ機能付き浴室暖房乾燥機Ａは、分岐前の循環通路２に第１の加熱手段３が設けられており、その下流側に位置する下通路２２に第２の加熱手段４が設けられている。これら第１の加熱手段３と第２の加熱手段４とはいずれも熱交換器３０，４０により構成されており、いずれも循環通路２内を流通する空気を加熱する。第１の加熱手段３の熱交換器３０は、横辺部３００と縦辺部３０１とが連設された略Ｌ字形状の熱交換器であり、流通する空気は、横辺部３００を通過した後に縦辺部３０１を通過する。この第１の加熱手段３の熱交換器３０は、図２に示されるように、熱源機９０からの熱媒（温水）が循環・流通する暖房用温水管路３１の途中に配置される。この暖房用温水管路３１には第１の加熱手段３の熱交換器３０の上流側に熱動弁３２が設けられており、この熱動弁３２を開放することで第１の加熱手段３の熱交換器３０と熱源機９０との間で熱媒が循環する。第２の加熱手段４の熱交換器４０は、図１に示されるように、下通路２２を覆うように傾斜した状態で配設されており、表面に金属製のフィン４０１を備えている。この金属製のフィン４０１は、鉛直方向に対して傾斜した状態となっており、空気流通方向に沿うように配置される。この第２の加熱手段４の熱交換器４０は、図２に示されるように、暖房用温水管路３１の第１の加熱手段３の熱交換器３０の上流側の熱動弁３２のさらに上流側から分岐したミスト加熱用温水管路４４に接続されている。このミスト加熱用温水管路４４の下流側の端部は、第１の加熱手段３の熱交換器３０の下流側に接続される。このミスト加熱用温水管路４４に接続された第２の加熱手段４の熱交換器４０は、その上流側に後述のミスト用熱交換器４２が接続されており、ミスト用熱交換器４２に対しては直列的に接続され、第１の加熱手段３の熱交換器３０に対しては並列的に接続されている。なお、図２中の符号３３は浴室内の温度を検知する浴室温度センサーであり、符号３４は熱源からの温水（熱媒）の温度を検知する温水往き温度センサーである。
【００２８】
本実施形態のミストサウナ機能付き浴室暖房乾燥機Ａは、図１に示されるように、循環通路２の第１の加熱手段３の熱交換器３０よりも下流側の上通路２１にマイクロミスト発生ノズル３５が設けられており、このマイクロミスト発生ノズル３５は粒径が５〜２０μｍ程度の微細なミストを放出する。マイクロミスト発生ノズル３５は、循環通路２内に臨む前端がミスト放出口３６となっており、その後端側が、図２に示されるように、マイクロミスト用電磁弁３７を介してミスト用給水配管３８に連通接続される。ミスト用給水配管３８は、一端が外部の吸水管に接続されると共に、他端が排水管に接続されている。このミスト用給水配管３８には、ストレーナ３９・給水電磁弁４１が接続されており、このストレーナ３９・給水電磁弁４１よりも下流側に上述したミスト用熱交換器４２が接続され、さらにその下流側にマイクロミスト発生ノズル３５が接続される。さらにマイクロミスト発生ノズル３５の分岐部分の下流側には排水電磁弁４３が接続されている。
【００２９】
ミスト用熱交換器４２は熱源機９０から循環する熱媒を熱源とする。このミスト用熱交換器４２は、図２に示されるように、ミスト加熱用温水管路４４に接続されている。このミスト加熱用温水管路４４は、ミスト用熱交換器４２の上流側に水比例弁４５が設けられており、ミスト用熱交換器４２の下流側には温水戻りセンサー４６が管路に沿って配置され、さらにその下流側に第２の加熱手段４の熱交換器４０が設けられている。この水比例弁４５は、ミスト（スプラッシュミスト及び微細なミスト）の温度を検知するミスト温度センサー４９の検知温度に基づいて、ミスト加熱用温水管路４４からミスト用熱交換器４２に供給される熱媒の供給量の調整を行ない、設定温度を得るために必要な流量の熱媒をミスト用熱交換器４２に供給する。
【００３０】
したがって排水電磁弁４３を閉じた状態で給水管から水が供給されると、このミスト用給水配管３８に流入した水は、ストレーナ３９・給水電磁弁４１を通過し、ミスト用熱交換器４２にて熱交換を行なって加熱され、その後マイクロミスト発生ノズル３５に到達し、ミスト放出口３６から微細なミストとなって放出される。
【００３１】
本実施形態のミストサウナ機能付き浴室暖房乾燥機Ａは、図１に示されるように、循環通路２のマイクロミスト発生ノズル３５が設けられた部分よりも下流側に、上通路２１を閉塞するようにしてフィルタ７が設けられている。このフィルタ７は、ミスト放出口３６から放出されたミストのうち所定のサイズ以上のミストの通過を制限し、且つ所定のサイズ未満のミストの通過を許容する。そもそもマイクロミスト発生ノズル３５から放出される微細なミストは、ある程度一定の粒径となっているのであるが、一部に大きなサイズのミストが混じっている。そこでこの大きなサイズのミストをカットするためにフィルタ７が設けられており、このフィルタ７を設けることで、微細なミストのみを浴室内に吐出することができるようになる。なお本実施形態のフィルタ７は、微細なミスト（例えば５μｍ未満のミスト）を通過させ、粒径の大きなミスト（例えば５μｍ以上のミスト）の通過を制限する。
【００３２】
上通路２１において、フィルタ７が設けられている部分よりも循環通路２上流側の下側面２６には、下方に凹没した集水部２５が設けられている。集水部２５は、少なくともフィルタ７の上流側の面の直下部分からミスト放出口３６の直下部分に亙る範囲の領域に設けられている。集水部２５はその底面に、下通路２２にまで貫通する連通路２４が設けられており、この底面は連通路２４に近付くほど漸次下方に傾斜した傾斜面となっている。この連通路２４には電磁弁からなる開閉手段２９０が設けられており、この開閉手段２９０は、連通路２４を流通する水を、下通路２２へ通水させ又は止水させる。この連通路２４の下通路２２側の開口端は第２の加熱手段４の熱交換器４０の直上に位置しており、連通路２４を通って落下した水が第２の加熱手段４の熱交換器４０の上端部（詳しくは、熱交換器４０の上方側に位置する金属製のフィン４０１の上縁近傍）に落下するようになっている。フィルタ７によりカットされたミストは、フィルタ７表面を流下してゆき、その後集水部２５に集まる。そして、集水部２５に溜められたミスト（水）は、連通路２４を通って落下し、第２の加熱手段４の熱交換器４０の上端部に落下する。熱交換器４０の上端部に落下した水は、傾斜したフィン４０１を伝って流下してゆき、流下しながら最終的に蒸発する。本実施形態においてはこの連通路２４が、前記フィルタ７不通過のミストを上通路２１から第２の加熱手段４へ導く導水手段２９を構成している。
【００３３】
循環通路２のフィルタ７よりも下流側では、上述の通り上通路２１と下通路２２とが合流しており、この合流した循環通路２は吹出し口１６に連通する。
【００３４】
本実施形態のミストサウナ機能付き浴室暖房乾燥機Ａは、グリル板１５に、スプラッシュミストを噴霧する複数のスプラッシュミスト発生ノズル５０が浴室内に臨むようにして設けられている。このスプラッシュミスト発生ノズル５０は、先端部がスプラッシュミスト噴霧口５１となっており、図２に示されるように、後端部がミスト用給水配管３８から分岐したスプラッシュミスト用管路４７に接続されている。このスプラッシュミスト用管路４７にはノズル開閉弁４８が設けられている。またこのスプラッシュミスト用管路４７に、この管路４７を流通する湯水の温度を検知する上述のミスト温度センサー４９が設けられている。
【００３５】
本実施形態のミストサウナ機能付き浴室暖房乾燥機Ａは、装置本体１内部に換気ファン８１が設けられている。この換気ファン８１は、図１，３に示されるように、空気吸入口１１と室外に臨む換気口８３とを連通する換気路８２内に設けられており、この換気路８２内の空気を空気吸入口１１から換気口８３へ向かうように流通させる。
【００３６】
本実施形態のミストサウナ機能付き浴室暖房乾燥機Ａは、制御部により各種の運転制御がなされる。この制御部は、マイクロコンピュータにより構成されており、リモコン操作部９１による信号や浴室温度センサー３３・温水往き温度センサー３４・ミスト温度センサー４９・温水戻りセンサー４６からの各検知信号を受信し、この各検知信号に基づいて各弁の開閉駆動や送風ファン８０・換気ファン８１の駆動を行なわせる。例えば、制御部は、浴室温度センサー３３に基づいて送風ファン８０を制御し、浴室内の温度を所定の温度に保たせたり、またミスト運転開始時に排水電磁弁４３を一定時間開放させて、ミスト用熱交換器４２やミスト用給水配管３８内に溜まっている温度の低い残水を外部に排出させたりする。
【００３７】
上記構成のミストサウナ機能付き浴室暖房乾燥機Ａは、以下のように動作する。
【００３８】
スプラッシュミストよりも粒径の小さい微細ミストによるミストサウナを行なう場合、リモコン操作部９１のマイクロミストサウナ運転スイッチを押す。すると、リモコン操作部９１から制御部に向けてマイクロミストサウナの開始を指令する信号が送られる。制御部は熱源機９０に指令を送り、それを受けた熱源機９０は稼働し始める。制御部は、それと同時に熱動弁３２と水比例弁４５を開放する。熱動弁３２が開放すると、熱源機９０から送られた高温の熱媒（約８０℃の温水）が暖房用温水管路３１を循環しはじめ、水比例弁４５が開放すると、この高温の熱媒がミスト加熱用温水管路４４を循環しはじめる。温水往き温度センサー３４が所定の温度（例えば６０℃）以上を検知すると、制御部は送風ファン８０を駆動し、同時に吹出し口１６を開放させる。すると、浴室内の空気を空気吸入口１１を介して装置本体１内に取り込み、吹出し口１６から温風を吹き出す。この後、浴室温度センサーが所定の温度（例えば２５℃）以上を検知すると、制御部は、マイクロミスト用電磁弁３７を開放してマイクロミスト発生ノズル３５からミストを放出させる。このミストは、その大部分が循環通路２内を流通する空気に沿ってフィルタ７に到着し、所定の粒径のミストのみこのフィルタ７を通過し、その下流で下通路２２を流通する空気と合流して、吹出し口１６から吐出される。
【００３９】
このときフィルタ７によって通過が制限されたミストは、フィルタ７に沿って下方に流下し、仕切り板２３に設けられた集水部２５に落下する。またミスト放出口３６から放出されたミストのうちフィルタ７に到着しなかったミストが一部に発生したとしても、そのミストは集水部２５に落下する。これらの落下したミストは、集水部２５に設けられた連通路２４を通って下通路２２内に移動し、第２の加熱手段４の熱交換器４０の上端部に落下する。熱交換器４０の上端部に落下した水滴は、傾斜した金属製のフィン４０１を伝って流下してゆき、流下しながら最終的に蒸発する。蒸発したミスト（水）は、蒸気となって下通路２２を流通する空気と共に浴室内に吹き出される。
【００４０】
次いで、この状態からマイクロミストサウナの運転を終了するには、リモコン操作部９１の運転停止スイッチを押す。すると、制御部はマイクロミスト用電磁弁３７と給水電磁弁４１を閉じる。このとき制御部は、熱動弁３２を開放させたままの状態を維持させると共に、送風ファン８０を駆動させたままの状態を維持させる。そして、マイクロミスト用電磁弁３７を閉じた時点から所定の時間（本実施形態では５分間）経過後に、熱動弁３２を閉じるとともに送風ファン８０を停止させる。
【００４１】
このように本実施形態のミストサウナ機能付き浴室暖房乾燥機Ａは、フィルタ７不通過のミストを蒸発させる第２の加熱手段４が設けられているため、フィルタ７不通過のミストを排水するためのドレン管が不要となる。さらにこのフィルタ７不通過のミスト（水滴）を蒸発し、この水蒸気をミストサウナ空間の加湿に利用するため、フィルタ７不通過のミストを排水せずに使用することができる。
【００４２】
また、ミストの供給が停止した時点から所定の時間、第１の加熱手段３と第２の加熱手段４と送風ファン８０とを作動させるようにしたため、仮に運転終了時に第２の加熱手段４や循環通路２内に水滴が残っていたとしても、その水滴を蒸発・乾燥させることができる。これにより循環通路２内や第２の加熱手段４にカビが発生するのを防止することができる。
【００４３】
また、本実施形態のミストサウナ機能付き浴室暖房乾燥機Ａは、第２の加熱手段４の熱交換器４０が下通路２２を覆うように設けられ、しかも傾斜しているため、下通路２２を流通する空気を効果的に加熱しつつ、表面を伝うフィルタ７不通過の水をゆっくり流下させて確実に蒸発させることができる。
【００４４】
また導水手段２９が連通路２４によって構成されているため、フィルタ７不通過のミストを第２の加熱手段４に重力を利用して導水することができる。これにより一層コンパクトな構成となる。さらに、この導水手段２９に開閉手段２９０が設けられているため、仮に、第２の加熱手段４の熱交換器４０が作動していなかったりあるいは所定の温度に達していなかったりした場合等に、第２の加熱手段４への導水を止めることができる。これにより、第２の加熱手段４に導かれた水が蒸発されずに第２通路２８内に滞留してしまうのを低減でき、カビの発生などを防ぐことができる。
【００４５】
次に、スプラッシュミストによるミストサウナを行なう場合には、リモコン操作部９１のスプラッシュミストサウナ運転スイッチを押す。すると、上述の動作と同じ制御が行なわれ、吹出し口１６から温風が吹き出し、浴室内の温度を上昇させる。浴室温度センサーが２５℃以上を検知すると、制御部は、ノズル開閉弁４８を開放してスプラッシュミストノズル５０からスプラッシュミストを放出させる。
【００４６】
暖房運転を行なう場合にはリモコン操作部９１の暖房運転スイッチを押す。すると、制御部は、熱動弁３２と水比例弁４５を開放する。この後温水往き温度センサー３４が６０℃以上を検知すると、制御部は送風ファン８０を駆動し、同時に吹出し口１６を開放させ、吹出し口１６から温風を吹き出させる。そして、浴室の温度を所定の温度にまで上昇させたのち、浴室温度センサー３３の検知信号に基づいて、送風ファン８０の回転を制御し、浴室内を一定温度に保たせる。
【００４７】
換気運転を行なう場合にはリモコン操作部９１の換気運転スイッチを押す。すると、制御部は、換気ファン８１を駆動させて浴室内の空気を室外に排出させる。
【００４８】
乾燥運転を行なう場合にはリモコン操作部９１の乾燥運転スイッチを押す。すると、制御部は、熱動弁３２及び水比例弁４５を開放し、また送風ファン８０及び換気ファン８１を駆動させる。この後は、浴室温度センサー３３に基づいて送風ファン８０の回転を制御し、室内温度が所定の設定値になるように駆動制御を行なう。
【００４９】
上記のように本実施形態は、第２の加熱手段４の熱交換器４０が、ミスト用熱交換器４２の下流側に直列的に配置されており、従来は排熱されていたミスト用熱交換器４２からの熱量を利用するようになっているので、エネルギーを高効率で使用することができる。
【００５０】
ここで本実施形態の各熱交換器３０，４０，４２は、図４のような配管とされていてもよい。
【００５１】
暖房用温水管路３１には、第１の加熱手段３の熱交換器３０が接続されており、その第１の加熱手段３の熱交換器３０の上流側に熱動弁３２が設けられている。この暖房用温水管路３１の熱動弁３２の上流側には、ミスト加熱用温水管路４４とは別に分岐温水管路５２が接続されている。この分岐温水管路５２には、第２の加熱手段４の熱交換器４０が設けられており、この第２の加熱手段４の熱交換器４０の上流側には熱動弁５３が接続されている。この分岐温水管路５２の下流側の端部は、暖房用温水管路３１の第１の加熱手段３の熱交換器３０の下流側に接続されている。
【００５２】
このような構成によれば、各熱交換器３０，４０，４２の制御を精度よく行なうことができ、例えば使用しない熱交換器のみの作動を停止したり、熱交換器ごとに熱媒の流量を調節し供給する熱量を調整する等できて、効率の良い運転制御を行なうことが可能となる。
【００５３】
以上、本発明のミストサウナ装置をミストサウナ機能付き浴室暖房乾燥機Ａに基づいて説明したが、本発明のミストサウナ装置は、少なくともミストサウナの機能を有していればよく、暖房のみの運転や乾燥運転や換気運転をさせる構成は必ずしも必要ではない。
【００５４】
また本実施形態のミストサウナ機能付き浴室暖房乾燥機Ａは浴室に取り付けられていたが、本発明のミストサウナ装置は、サウナルームのような部屋に用いられるものであってもよく、この点限定されるものではない。また本実施形態の熱交換器３０，４０の熱媒は温水が用いられていたが、本発明はこの点限定されるものではない。
【００５５】
また、本実施形態ではミストをノズルによって生成する構成であったが、本発明のミスト吐出口１２から放出されるミストは、ノズルによって生成されるもののみに限定されない。また、本実施形態のミストサウナ機能付き浴室暖房乾燥機Ａは、５μｍ未満の粒径の微細なミストが、フィルタ７によって濾過されてミスト吐出口１２から吐出される構成であったが、本発明のミストサウナ装置は、多様なサイズのミストに適用可能であり、ミスト吐出口１２から吐出されるミストの大きさは本実施形態のものに限定されない。
【００５６】
また本実施形態は、導水手段２９を連通路２４が構成した例であったが、本発明の導水手段は、必ずしも連通路である必要はなく、例えばポンプを介して第２の加熱手段に導水する構成であってもよく、特に限定されるものではない。
【符号の説明】
【００５７】
１      装置本体
１１    空気吸入口
１２    ミスト吐出口
１４    装置ケーシング
１５    グリル板
１６    吹出し口
２      循環通路
２１    上通路
２２    下通路
２３    仕切り板
２４    連通路
２５    集水部
２６    下側面
２７    第１通路
２８    第２通路
２９    導水手段
２９０  開閉手段
３      第１の加熱手段
３５    マイクロミスト発生ノズル
３６    ミスト放出口
４      第２の加熱手段
４０１  フィン
５０    スプラッシュミスト発生ノズル
７      フィルタ
８０    送風ファン
８１    換気ファン
Ａ      ミストサウナ機能付き浴室暖房乾燥機
【図１】
0005539767.tif 000002
【図２】
0005539767.tif 000003
【図３】
0005539767.tif 000004
【図４】
0005539767.tif 000005